(57)【要約】      （修正有）【課題】使用者に与える癒しなどの効果をより高めることができる、音声を発する画像付き鏡を提供する。【解決手段】鏡本体２が、フレーム３の内側に配置され、裏面処理を施していない透明部２ａを有している。画像４が、透明部２ａを通して視認可能に、透明部２ａの裏面に設けられている。人感センサ５が、鏡本体２の前方に人が存在することを検知するよう設けられている。発音手段６が、あらかじめ音声を録音しておく録音部と、発音部１１とを有している。発音手段６は、人感センサ５で人の存在を検知したとき、発音部１１から録音部に録音された音声を発するよう構成されている。【選択図】図１
0003188677.tif 000002
【実用新案登録請求の範囲】
【請求項１】
裏面処理を施していない透明部を有する鏡本体と、
前記透明部を通して視認可能に、前記透明部の裏面に設けられた画像と、
前記鏡本体の前方に人が存在することを検知するための人感センサと、
あらかじめ音声を録音しておく録音部と、発音部とを有し、前記人感センサで人の存在を検知したとき、前記発音部から前記録音部に録音された音声を発するよう構成された発音手段とを、
有することを特徴とする音声を発する画像付き鏡。
【請求項２】
前記発音手段は、前記録音部に複数種類の音声を録音可能であり、前記発音部から、前記録音部に録音された複数種類の各音声のうち、あらかじめ選択された音声を発するよう、または、あらかじめ決められた順番で音声を発するよう構成されていることを特徴とする請求項１記載の音声を発する画像付き鏡。
【請求項３】
前記録音部は、既に録音されている音声を１つずつ消去可能、かつ新たな音声を１つずつ追加して録音可能であることを特徴とする請求項２記載の音声を発する画像付き鏡。
【考案の詳細な説明】
【技術分野】
【０００１】
本考案は、音声を発する画像付き鏡に関する。
【背景技術】
【０００２】
従来の画像付き鏡として、裏面処理を施していない透明部の裏面に、透明部を通して視認可能に画像が貼り付けられ、または印刷されたものが、本発明者によって開発されている（例えば、特許文献１参照）。この画像付き鏡は、鏡面に写真や絵、文字などの画像を表示することができ、画像の耐久性が高いという特徴を有している。
【先行技術文献】
【特許文献】
【０００３】
【特許文献１】実用新案登録第３１８２１０２号公報
【考案の概要】
【考案が解決しようとする課題】
【０００４】
特許文献１に記載の画像付き鏡は、視覚により、使用者に癒しなどの効果を与えることができるが、さらに聴覚を刺激することにより、癒しなどの効果を高めることができる鏡の開発が期待されていた。
【０００５】
本考案は、このような課題に着目してなされたもので、使用者に与える癒しなどの効果をより高めることができる、音声を発する画像付き鏡を提供することを目的とする。
【課題を解決するための手段】
【０００６】
上記目的を達成するために、本考案に係る音声を発する画像付き鏡は、裏面処理を施していない透明部を有する鏡本体と、前記透明部を通して視認可能に、前記透明部の裏面に設けられた画像と、前記鏡本体の前方に人が存在することを検知するための人感センサと、あらかじめ音声を録音しておく録音部と、発音部とを有し、前記人感センサで人の存在を検知したとき、前記発音部から前記録音部に録音された音声を発するよう構成された発音手段とを、有することを特徴とする。
【０００７】
本考案に係る音声を発する画像付き鏡は、鏡本体の表側から、透明部を通して画像を見ることができる。また、鏡本体の前にいる使用者を人感センサが検知すると、発音手段により音声を発することができる。このため、使用者に癒しなどを与えるような画像や音声を使用することにより、視覚と聴覚の双方に訴えて、使用者に与える癒しなどの効果をより高めることができる。
【０００８】
本考案に係る音声を発する画像付き鏡は、画像が鏡本体の透明部の裏面に設けられているため、鏡本体の表側から触ったり擦ったりしても、画像が落ちたり剥がれたりすることがなく、優れた耐久性を有している。使用される画像は、フィルム等に印刷されており、そのフィルム等が透明部の裏面に貼り付けられていてもよく、透明部の裏面に直接印刷されていてもよい。また、使用される画像は、例えば、写真や絵、文字などから成り、特に、亡くなったペットや家族の写真、花や風景などの自然の写真などが好適に用いられる。
【０００９】
本考案に係る音声を発する画像付き鏡で、使用される音声は、使用される画像に関連したものが好ましい。また、使用される画像や音声は、必ずしも使用者に癒しの効果を与えるものでなくてもよい。また、透明部は、円形、三角形、四角形、楕円形、ハート形、扇形、リンゴ図形などいかなる形状であってもよい。
【００１０】
本考案に係る音声を発する画像付き鏡で、前記発音手段は、前記録音部に複数種類の音声を録音可能であり、前記発音部から、前記録音部に録音された複数種類の各音声のうち、あらかじめ選択された音声を発するよう、または、あらかじめ決められた順番で音声を発するよう構成されていてもよい。この場合、使用者の好みの音声を選択したり、様々な音声を楽しんだりすることができる。
【００１１】
本考案に係る音声を発する画像付き鏡で、前記録音部は、既に録音されている音声を１つずつ消去可能、かつ新たな音声を１つずつ追加して録音可能であってもよい。この場合、音声を入れ換えて、新しい音声を聞けるようにすることができる。また、使用者に対するメッセージを録音して、留守番メッセージのような機能を果たすこともできる。
【考案の効果】
【００１２】
本考案によれば、使用者に与える癒しなどの効果をより高めることができる、音声を発する画像付き鏡を提供することができる。
【図面の簡単な説明】
【００１３】
【図１】本考案の実施の形態の音声を発する画像付き鏡の（ａ）正面図、（ｂ）底面図、（ｃ）裏板を外した背面図である。
【図２】図１に示す音声を発する画像付き鏡の、発音手段および人感センサを示すブロック回路図である。
【考案を実施するための形態】
【００１４】
以下、図面に基づき本考案の実施の形態について説明する。
図１は、本考案の実施の形態の音声を発する画像付き鏡を示している。
図１に示すように、音声を発する画像付き鏡１は、鏡本体２とフレーム３と画像４と人感センサ５と発音手段６とを有している。
【００１５】
鏡本体２は、フレーム３の内側に配置されており、一部に裏面処理を施していない透明部２ａを有している。透明部２ａは、図１に示す一例では、矩形であるが、円形、三角形、正方形、楕円形、ハート形、扇形、リンゴ図形などいかなる形状であってもよい。鏡本体２は、透明部２ａに、裏面まで貫通したピンホール２ｂが設けられている。フレーム３は、鏡本体２の裏面を覆うよう、鏡本体２の裏面との間に間隔をあけて取り付けられた裏板（図示せず）を有している。フレーム３は、壁等に固定可能である。
【００１６】
画像４は、フィルムに印刷されており、透明部２ａを通して視認可能に、そのフィルムが透明部２ａの裏面に貼り付けられている。画像４は、図１に示す一例では、犬の写真から成っているが、他の動物や自然の写真であっても、絵や文字などであってもよい。なお、画像４は、フィルムではなく、透明部２ａの裏面に直接印刷されていてもよい。
【００１７】
人感センサ５は、受光センサから成り、鏡本体２の裏面のピンホール２ｂの位置に取り付けられている。これにより、人感センサ５は、ピンホール２ｂを介して、鏡本体２の前方に人が存在することを検知可能になっている。
【００１８】
図１および図２に示すように、発音手段６は、発音部１１とスイッチ１２とマイクロフォン１３と電源１４と制御回路ユニット１５とを有している。発音部１１は、スピーカーから成り、周囲に共鳴板１１ａが設けられている。スイッチ１２およびマイクロフォン１３は、フレーム３の側面に取り付けられている。電源１４は、複数の単三電池から成っており、制御回路ユニット１５に電力を供給可能になっている。制御回路ユニット１５は、人感センサ５と発音部１１とスイッチ１２とマイクロフォン１３と電源１４とに接続されている。
【００１９】
図２に示すように、制御回路ユニット１５は、アンプ２１と感度調整器２２とスイッチ入力回路２３と録音部２４とタイマー２５と出力回路２６とを有している。録音部２４は、メモリから成り、あらかじめ音声が録音されている。録音部２４に録音されている音声は、画像４に関連したものから成っており、図１に示す一例では、画像４の犬の鳴き声から成っている。
【００２０】
図２に示すように、制御回路ユニット１５は、マイクロフォン１３から入力された音声をアンプ２１で増幅するようになっている。また、制御回路ユニット１５は、スイッチ１２が押されたとき、スイッチ入力回路２３を介して、スイッチ１２か押されている間だけ、入力され増幅された音声の感度を感度調整器２２で調整し、録音部２４に追加して録音するようになっている。また、制御回路ユニット１５は、人感センサ５で人の存在を検知したとき、録音部２４に録音された音声を、出力回路２６を介して発音部１１から発するようになっている。このとき、制御回路ユニット１５は、タイマー２５により、あらかじめ設定された時間だけ音声を発するようになっている。図１に示す一例では、タイマー２５による設定時間は、３０秒である。
【００２１】
次に、作用について説明する。
音声を発する画像付き鏡１は、鏡本体２の表側から、透明部２ａを通して画像４を見ることができる。また、鏡本体２の前にいる使用者を人感センサ５が検知すると、発音手段６により音声を発することができる。このため、使用者に癒しなどを与えるような画像４や音声を使用することにより、視覚と聴覚の双方に訴えて、使用者に与える癒しなどの効果をより高めることができる。
【００２２】
例えば、画像４として、亡くなったペットや家族の写真を使用し、音声として、そのペットの鳴き声や家族の声を使用することにより、鏡を見るたびにペットや家族を偲び、そのペットや家族が身近で常に見守ってくれているような温かい気持ちになって、高い癒しの効果が得られる。また、画像４として、花や風景、鳥などの写真を使用し、音声として、風や川の音や鳥のさえずりを使用することにより、自然の中にいるような高い癒しの効果が得られる。特に、音声を発する画像付き鏡１を、身支度を整える際に必ず見る鏡に使用すれば、毎朝、癒されてから一日を迎えることとなり、その日を穏やかに過ごすのに効果的である。
【００２３】
音声を発する画像付き鏡１は、画像４が鏡本体２の透明部２ａの裏面に設けられているため、鏡本体２の表側から触ったり擦ったりしても、画像４が落ちたり剥がれたりすることがなく、優れた耐久性を有している。
【００２４】
なお、音声を発する画像付き鏡１で、スピーカーは、画像４の近傍に設けられていることが好ましい。この場合、画像４の近傍から音声が発するため、現実感を出すことができる。
【００２５】
また、音声を発する画像付き鏡１で、発音手段６は、スイッチ１２を操作することにより録音部２４に録音された複数種類の音声のうち任意の音声を発するよう、または、あらかじめ決められた順番で音声を発するよう構成されていてもよい。この場合、使用者の好みの音声を選択したり、様々な音声を楽しんだりすることができる。
【００２６】
また、音声を発する画像付き鏡１で、発音手段６は、スイッチ１２を操作することにより、録音部２４に録音されている音声を１つずつ消去可能であってもよい。この場合、音声を入れ換えることができる。また、留守番メッセージのような機能を果たすこともできる。また、録音部２４は、メッセージなどを録音するための録音・消去可能なＲＡＭメモリと、犬や鳥などの動物の声を録音するための消去できないＲＯＭメモリとから成っていてもよい。アンプ２１は、出力調整可能であることが好ましい。アンプ２１の出力を調整することにより、スピーカーからの音量を調節することができる。
【符号の説明】
【００２７】
１  音声を発する画像付き鏡
２  鏡本体
２ａ  透明部
２ｂ  ピンホール
３  フレーム
４  画像
５  人感センサ
６  発音手段
１１  発音部
１１ａ  共鳴板
１２  スイッチ
１３  マイクロフォン
１４  電源
１５  制御回路ユニット
２１  アンプ
２２  感度調整器
２３  スイッチ入力回路
２４  録音部
２５  タイマー
２６  出力回路
【図２】
0003188677.tif 000003
【図１】
0003188677.tif 000004